(57)【特許請求の範囲】
【請求項１】
１または複数の信号入力用コネクタを備え当該各信号入力用コネクタを介して入力された測定対象信号の各々についての所定測定項目をそれぞれ測定する測定ユニットを１または複数搭載可能に構成され、搭載された前記測定ユニットの前記各信号入力用コネクタに対して所定の規則に従ってチャネル番号を付与すると共に当該測定ユニットの動作条件をその付与したチャネル番号毎に表示部の表示画面上で個別的に設定可能な波形表示装置において、
所定の操作が行われたときに、前記搭載されている測定ユニットの前記各信号入力用コネクタと付与された前記チャネル番号との関係を示す第１のチャネル番号確認用画面を前記表示部に表示することを特徴とする波形表示装置。
【請求項２】
前記測定ユニット搭載状況の模写画面を前記第１のチャネル番号確認用画面として表示することを特徴とする請求項１記載の波形表示装置。
【請求項３】
前記動作条件設定の際に、未付与の前記チャネル番号が指定されたときに、前記チャネル番号の付与状況を示す第２のチャネル番号確認用画面を前記表示部に表示することを特徴とする請求項１または２記載の波形表示装置。
【発明の詳細な説明】
【０００１】
【発明の属する技術分野】
本発明は、信号入力用コネクタを介して入力された測定対象信号についての所定測定項目を測定する測定ユニットを１または複数搭載可能に構成された波形表示装置に関するものである。
【０００２】
【従来の技術】
この種の波形表示装置として、出願人は、図７，８に示す波形表示装置５１を既に開発している。この波形表示装置５１は、図７に示すように、各種の表示画面を切り替え表示可能な表示部５２と、複数の操作スイッチが配設された操作部５３とを備えている。また、波形表示装置５１には、図８に示すように、各種の電気的測定が可能な測定ユニットを挿入するための第１スロット１１ａ〜第４スロット１１ｄからなる測定ユニット挿入部１１が配設されている。
【０００３】
この場合、測定ユニット挿入部１１に挿入可能な測定ユニットとして、測定目的に応じて各種のタイプが用意されている。具体的には、測定ユニットとして、例えば、２つの信号入力用コネクタが配設されて、その各信号入力用コネクタを介して入力されるアナログ波形についての電圧や電流などを測定する２ＣＨアナログタイプと、４つの信号入力用コネクタが配設されて、その各信号入力用コネクタを介して入力されるアナログ波形についての電圧や電流などを測定する４ＣＨアナログタタイプと、２つの信号入力用コネクタおよび２つの信号入力用端子が配設されて、動作条件の設定に応じて、その各信号入力用コネクタを介して入力されるアナログ波形についての電圧や電流、および２つの信号入力用端子を介して入力される温度センサのセンサ信号に基づいての温度のいずれか一方を測定する電圧・温度タイプと、２つの信号入力用端子を介して入力される歪みセンサのセンサ信号に基づいて歪みを測定するストレインタイプとが用いられる。このため、測定目的に応じたタイプの測定ユニットを測定ユニット挿入部１１に挿入し、その測定ユニットを介して電圧、電流、温度および歪みなどについての表示対象信号を入力させることにより、各種の信号波形が表示部５２に表示される。
【０００４】
以下、測定ユニット挿入部１１に、下記の測定ユニットが挿入されているものとして、波形表示装置５１の動作について説明する。すなわち、図８に示すように、第１スロット１１ａには、信号入力用コネクタＴ１１，Ｔ１２を有する２ＣＨアナログタイプの測定ユニットＵＮ１が挿入され、第２スロット１１ｂには、信号入力用コネクタＴ２１，Ｔ２２および信号入力用端子Ｔ２３，Ｔ２４を有する電圧・温度タイプの測定ユニットＵＮ２が挿入され、第３スロット１１ｃには、信号入力用コネクタＴ３１，Ｔ３２を有する２ＣＨアナログタイプの測定ユニットＵＮ３が挿入され、第４スロット１１ｄには、信号入力用コネクタＴ４１〜Ｔ４４を有する４ＣＨアナログタイプの測定ユニットＵＮ４が挿入されているものとする。以下、測定ユニットＵＮ１〜ＵＮ４を区別しないときには「測定ユニットＵＮ」ともいう。
【０００５】
この波形表示装置５１では、図８に示す電源スイッチ９を投入すると、測定ユニット挿入部１１に挿入されている各測定ユニットＵＮの信号入力コネクタまたは信号入力用端子に対して、予め定めた規則に従ってチャネル１〜チャネル１６のいずれかのチャネル番号が割り当てられる。この場合、例えば、測定ユニットＵＮ１の信号入力用コネクタＴ１１，Ｔ１２にはチャネル１，チャネル２が、測定ユニットＵＮ３の信号入力用コネクタＴ３１，Ｔ３２にはチャネル５，チャネル６が、測定ユニットＵＮ４の信号入力用コネクタＴ４１〜Ｔ４４にはチャネル７，チャネル８，チャネル１５，チャネル１６が、それぞれ自動的に割り当てられる。また、測定ユニットＵＮ２については、動作条件がアナログ波形の測定に設定されたときには、信号入力用コネクタＴ２１，Ｔ２２にチャネル３，チャネル４が割り当てられ、動作条件が温度波形の測定に設定されたときには、信号入力用端子Ｔ２３，Ｔ２４にチャネル３，チャネル４が自動的に割り当てられる。したがって、オペレータは、割り当てられたチャネル番号毎に、入力レンジや表示倍率などの動作条件を設定することにより、波形表示装置５１に対し、そのチャネル番号に対応する信号入力コネクタまたは信号入力用端子を介して入力されて各測定ユニットＵＮによって測定された各種の信号波形を表示部５２に表示させることができる。
【０００６】
この際に、例えば、チャネル３についての入力レンジを変更する場合には、操作部５３のＣＨＡＮキー４を操作することにより、図９に示すチャネル設定用画面６２を表示部５２に表示させる。次に、カーソル移動用キー部６のキー６ａ〜６ｄを操作することにより、同図に示すように、カーソル６０をＣＨ「３」における「レンジ」の表示部位に移動させる。次いで、ファンクションキー部７のキー７ａ，７ｂを操作することにより、チャネル３の入力レンジとして設定可能な設定候補から任意の入力レンジを表示させた後、キー７ｅを操作することにより、表示されている入力レンジに確定する。この後、ＤＩＳＰキー５を操作することにより、図７に示す信号波形表示用画面６１が表示部５２に再び表示され、設定変更した入力レンジに応じたチャネル３についての信号波形が信号波形表示用画面６１上に表示される。
【０００７】
一方、波形表示装置５１では、信号波形表示用画面６１を表示部５２に表示させた状態で各チャネルの入力レンジについての設定を変更することもできる。例えば、信号波形表示用画面６１上でチャネル２についての入力レンジを変更するときには、チャネル指定用キー部５４のキー５４ｃまたはキー５４ｄを操作することにより、チャネル２についての入力レンジを変更することができる。また、例えばチャネル１６についての入力レンジの設定を変更するときには、ＳＨＩＦＴキー５５を押しながらチャネル指定用キー部５４のキー５４ｏまたはキー５４ｐを操作することにより、入力レンジを変更することができる。
【０００８】
【発明が解決しようとする課題】
ところが、出願人が既に開発している波形表示装置５１には、以下の改善すべき点がある。
すなわち、この波形表示装置５１では、測定ユニット挿入部１１に挿入される測定ユニットＵＮの各信号入力コネクタおよび各信号入力用端子に対して予め定められた規則に従ってチャネル番号が自動的に割り当てられている。このため、オペレータは、各信号入力用コネクタなどに割り当てられたチャネル番号を知って初めて、入力レンジや倍率などの動作条件をチャネル毎に設定することができる。一方、信号入力用コネクタおよび信号入力用端子と割り当てられたチャネル番号との関係は、測定ユニットＵＮのタイプや、アナログ波形測定または温度波形測定などの動作条件の設定内容に応じて相違する。具体的には、例えば、測定ユニットＵＮ２に対してアナログ波形測定に動作条件を設定したときには、チャネル３，４が信号入力用コネクタＴ２１，Ｔ２２に付与され、温度波形測定に動作条件を設定したときには、チャネル３，４が信号入力用端子Ｔ２３，Ｔ２４に割り当てられる。また、チャネル１５，１６については、４ＣＨアナログタイプの測定ユニットＵＮが挿入されたときに割り当てられ、２ＣＨタイプの測定ユニットＵＮが挿入されたときには割り当てられない。このため、オペレータが、割り当てられたチャネル番号を正確に認識していなければ、動作条件設定の際に、チャネル番号を誤指定してしまうおそれがあるという課題がある。
【０００９】
この場合、例えば、割り当てられるチャネル番号を測定ユニット挿入部１１や測定ユニットＵＮの各信号入力コネクタおよび各信号入力用端子に予め印刷しておくことも考えられる。しかし、かかる場合であっても、測定項目の設定内容、および挿入された測定ユニットＵＮのタイプや挿入場所に応じたチャネル番号が割り当てられるため、確実な手段とはいえない。
【００１０】
本発明は、かかる改善点に鑑みてなされたものであり、測定ユニットの動作条件を迅速かつ正確に設定可能な波形表示装置を提供することを主目的とする。
【００１１】
【課題を解決するための手段】
上記目的を達成すべく請求項１記載の波形表示装置は、１または複数の信号入力用コネクタを備え各信号入力用コネクタを介して入力された測定対象信号の各々についての所定測定項目をそれぞれ測定する測定ユニットを１または複数搭載可能に構成され、搭載された測定ユニットの各信号入力用コネクタに対して所定の規則に従ってチャネル番号を付与すると共に測定ユニットの動作条件をその付与したチャネル番号毎に表示部の表示画面上で個別的に設定可能な波形表示装置において、所定の操作が行われたときに、搭載されている測定ユニットの各信号入力用コネクタと付与されたチャネル番号との関係を示す第１のチャネル番号確認用画面を表示部に表示することを特徴とする。
なお、本発明における信号入力用コネクタには信号入力用端子などの各種の接続具が含まれる。
【００１２】
この波形表示装置では、例えば、所定のチャネル番号に対応する測定ユニットの動作条件を設定する際に、搭載されている測定ユニットの各信号入力用コネクタと、付与されたチャネル番号との関係が不明または不正確な認識のときには、例えば、操作スイッチの操作などの所定の操作を実行する。この際には、第１のチャネル番号確認用画面が表示部に表示される。したがって、オペレータは、この第１のチャネル番号確認用画面を確認することにより、チャネル番号と信号入力用コネクタとの関係を正確かつ確実に知ることができる。これにより、未だ付与されていないチャネル番号を指定しての動作条件の設定などの誤操作が防止される。
【００１３】
請求項２記載の波形表示装置は、請求項１記載の波形表示装置において、測定ユニット搭載状況の模写画面を第１のチャネル番号確認用画面として表示することを特徴とする。
【００１４】
第１のチャネル番号確認用画面は、測定ユニット搭載状況の模写画面に限らず、測定ユニットの各信号入力用コネクタとチャネル番号との関係を理解させることができれば、その関係を文字や記号等で示す画面であってもよい。この波形表示装置では、実際に搭載されている測定ユニットの模写画面を第１のチャネル番号確認用画面として表示する。したがって、オペレータは、測定ユニットの搭載状況と共に測定ユニットにおける信号入力用コネクタとチャネル番号との関係を直感的に認識することができる。このため、測定ユニットの動作条件を確実かつ容易に設定することが可能となる。
【００１５】
請求項３記載の波形表示装置は、請求項１または２記載の波形表示装置において、動作条件設定の際に、未付与のチャネル番号が指定されたときに、チャネル番号の付与状況を示す第２のチャネル番号確認用画面を表示部に表示することを特徴とする。
【００１６】
この波形表示装置では、測定ユニットについての動作条件設定の際に未付与のチャネル番号が指定されると、第２のチャネル番号確認用画面が表示される。したがって、オペレータに対して、チャネル番号の付与状況を知らしめることにより、誤ったチャネル番号の指定などをオペレータに確実に理解させることが可能となる。この場合、オペレータは、所定の操作によって第１のチャネル番号確認用画面を表示させることにより、チャネル番号と信号入力用コネクタとの関係を知ることができる。
【００１７】
【発明の実施の形態】
以下、添付図面を参照して、本発明に係る波形表示装置の実施の形態について説明する。なお、出願人が既に開発している波形表示装置５１と同一の構成要素については、同一の符号を付して重複した説明を省略し、同一の機能および動作についても重複した説明を省略する。
【００１８】
最初に、波形表示装置１の構成について、図１〜３を参照して説明する。
【００１９】
波形表示装置１は、図１に示すように、ＬＣＤパネルで構成された表示部２、および操作部３を備え、操作部３には、ＣＨＡＮキー４、ＤＩＳＰキー５、カーソル移動用キー部６、ファンクションキー部７、およびチャネル指定用キー部８などの複数の操作スイッチが配設されている。また、波形表示装置１は、図２に示すように、各種の電気的測定を行う測定ユニットを最大で例えば４枚まで挿入可能な第１スロット１１ａ〜第４スロット１１ｄからなる測定ユニット挿入部１１を備えおり、測定目的に応じた測定ユニットＵＮを挿入することが可能に構成されている。
【００２０】
また、波形表示装置１は、図３に示すように、ＣＰＵ１２、ＲＯＭ１３、ＲＡＭ１４、プリンタ１５およびＦＤＤ１６を備えている。ＣＰＵ１１は、表示部２に各種の表示画面を表示させる際の表示制御や、各測定ユニットＵＮによって測定された測定結果の演算などの波形表示装置１における各種の処理を実行する。ＲＯＭ１２は、ＣＰＵ１１の動作プログラムなどを記憶し、ＲＡＭ１３は、ＣＰＵ１１の演算結果などを一時的に記憶する。プリンタ１４は、サーマルプリンタが用いられており、各測定ユニットＵＮによって測定された記録対象信号についての信号波形や、表示部２に表示される表示画面のハードコピーなどを印刷する。ＦＤＤ１５は、記録対象信号の記録や、波形表示装置１の動作条件設定値などを３．５インチのフロッピーディスクに記録する。
【００２１】
次に、信号波形を表示部２に表示させる際の操作手順について、図面を参照して説明する。
【００２２】
まず、図外の電源スイッチを投入すると、図１に示すように、信号波形表示用画面２１が表示部２に表示される。この波形表示用画面２１には、例えば、各測定ユニットＵＮ１，ＵＮ２，ＵＮ４の各信号入力用コネクタＴ１１，Ｔ１２，Ｔ２１，Ｔ２２，Ｔ４１〜Ｔ４４を介して入力されたチャネル１〜チャネル４，チャネル７，チャネル８，チャネル１５およびチャネル１６にそれぞれ対応する信号波形が表示される。この場合、例えば、チャネル５に対応する信号波形を信号波形表示用画面２１に表示させるときには、まず、キー８ｅを操作することにより、チャネル５についての入力レンジおよび倍率などを設定するためのチャネル設定用画面（図示せず）を表示させる。この際に、チャネル５ついての動作条件が未設定状態、または測定ユニット挿入部１１の第３スロット１１ｃに測定ユニットＵＮが未搭載状態のときには、図４に示すように、本発明における第２のチャネル番号確認用画面に相当する有効チャネル確認用画面３１が表示部２に表示される。この有効チャネル確認用画面３１には、動作条件が既に設定されており指定が有効なチャネル番号のみが表示される。したがって、未搭載の測定ユニット挿入部１１のスロットに対して付与されるべきチャネル番号、および搭載されている場合であっても動作条件が未設定状態の測定ユニットＵＮに対して付与されるべきチャネル番号の両者の指定を無効として取り扱う旨が、オペレータに対して報知される。
【００２３】
チャネル５が無効であると表示された場合には、操作部３の各操作スイッチのいずれかの操作スイッチを操作することにより、有効チャネル確認用画面３１が表示部２から消去される。次いで、操作部３のＣＨＡＮキー４を操作することにより、チャネル設定用画面２２が表示部２に表示される（図６参照）。この場合、カーソル２０がチャネル番号の表示位置（例えば「１」）に位置させられているときには、ファンクションキー部７のキー７ａに接続確認用の機能が付与される。この際に、キー７ａを操作することにより、図５に示すように、チャネル設定用画面２２上に本発明における第１のチャネル番号確認用画面に相当する測定ユニット搭載状況確認用画面３２が表示される。
【００２４】
この場合、測定ユニット搭載状況確認用画面３２には、上部の表示位置に、測定ユニット挿入部１１への測定ユニットＵＮの搭載状況と共に各測定ユニットＵＮの信号入力用コネクタあるいは信号入力用端子に割り当てられているチャネル番号が表示される。具体的には、同図に示す測定ユニット搭載状況確認用画面３２には、（１）第１スロット１１ａには測定ユニットＵＮが搭載され、その信号入力コネクタにチャネル１，２が付与され、かつ、チャネル１に対応する表示位置が反転表示されていることによりチャネル設定用画面２２上のカーソル２０がチャネル番号１を選択している旨、（２）第２スロット１１ｂには電圧・温度タイプの測定ユニットＵＮが搭載され、その信号入力用端子にはチャネル番号が付与されずに、その信号入力コネクタにチャネル３，４が付与されている旨、（３）第３スロット１１ｃには測定ユニットＵＮが搭載され、動作条件が未設定のために、その信号入力コネクタに付与されるべきチャネル５，６が現段階では付与されていない旨、（４）第４スロット１１ｄには４ＣＨアナログタイプの測定ユニットＵＮが搭載され、その信号入力コネクタにチャネル７，８，１５，１６が付与されている旨が表示されている。
【００２５】
また、下部の表示位置には、第１スロット１１ａ〜第４スロット１１ｄに挿入されている測定ユニットＵＮのタイプが表示される。具体的には、第１スロット１１ａ〜第４スロット１１ｄには、それぞれ２ＣＨアナログタイプ、電圧・温度タイプ、２ＣＨアナログタイプおよび４ＣＨアナログタイプの測定ユニットＵＮが挿入されている旨が表示されている。
【００２６】
これにより、チャネル５については、測定ユニットＵＮが挿入されているものの、動作条件が未設定のために、チャネル番号が付されていないことを容易に知ることができる。したがって、図５の状態において、操作部３のいずれかのキーを操作することにより、測定ユニット搭載状況確認用画面３２を消去した後、図６に示すように、チャネル番号「５」についての「波形」に対応する表示部位にカーソル２０を移動させる。次いで、ファンクションキー部７のキー７ａ，７ｂを操作することにより、チャネル番号「５」についての「波形」の部位に、「アナログ」を表示させる。続いて、「レンジ」や「倍率」などについても設定した後、キー７ｅを操作する。これにより、チャネル５がアナログ波形の測定用チャネルとして確定されると共に、チャネル５についての動作条件が設定される。この後、ＤＩＳＰキー５を操作することにより、表示部２には、信号波形表示用画面２１が再び表示され、チャネル５に対応する信号波形が表示される（図示せず）。
【００２７】
以上のように、この波形表示装置１では、所定のチャネル番号に対応する測定ユニットＵＮの動作条件を設定する際に、測定ユニット搭載状況確認用画面３２を表示部２に表示させることにより、オペレータに対して、チャネル番号と信号入力用コネクタまたは信号入力用端子との関係を正確かつ確実に知らしめることができる。この結果、未付与チャネル番号を指定しての動作条件の設定などの誤操作を防止することができる。また、測定ユニット搭載状況確認用画面３２は実際の測定ユニット挿入部１１における測定ユニットＵＮの挿入状態を模写した画面であるため、オペレータに対して、測定ユニットＵＮの挿入状況と共に測定ユニットＵＮにおける信号入力用コネクタまたは信号入力用端子とチャネル番号との関係を直感的に認識させることができる。このため、測定ユニットの動作条件を確実かつ容易に設定させることができる。さらに、未付与の無効なチャネル番号を指定しての動作条件の設定が行われようとしたときには、有効チャネル確認用画面３１を表示部２に表示させることにより、オペレータに対して、誤ったチャネル番号の指定であることを確実に知らしめることができる。
【００２８】
なお、本発明は、上記した本発明の実施の形態に示した構成に限定されない。例えば、チャネル指定用キー部８のキー８ａ〜８ｐを操作することによって無効なチャネル番号が指定されたときに、測定ユニット搭載状況確認用画面３２を表示させてもよい。
【００２９】
【発明の効果】
以上のように、請求項１記載の波形表示装置によれば、所定の操作が行われたときに、搭載されている測定ユニットの各信号入力用コネクタと付与されたチャネル番号との関係を示す第１のチャネル番号確認用画面を表示部に表示することにより、オペレータに対して、チャネル番号と信号入力用コネクタとの関係を正確かつ確実に知らしめることができる。これにより、未だ付与されていないチャネル番号を指定しての動作条件の設定などの誤操作を防止することができる。
【００３０】
また、請求項２記載の波形表示装置によれば、測定ユニット搭載状況の模写画面を第１のチャネル番号確認用画面として表示することにより、オペレータに対して、測定ユニットの搭載状況と共に測定ユニットにおける信号入力用コネクタとチャネル番号との関係を直感的に認識させることができ、これにより、オペレータは測定ユニットの動作条件を確実かつ容易に設定することができる。
【００３１】
さらに請求項３記載の波形表示装置によれば、動作条件設定の際に、未付与のチャネル番号が指定されたときに、チャネル番号の付与状況を示す第２のチャネル番号確認用画面を表示部に表示することにより、オペレータに対して、チャネル番号の付与状況を知らしめると共に誤ってチャネル番号が指定されたことを確実に理解させることができる。
【図面の簡単な説明】
【図１】  本発明の実施の形態に係る波形表示装置の正面図である。
【図２】  本発明の実施の形態に係る波形表示装置の側面図である。
【図３】  本発明の実施の形態に係る波形表示装置の電気的構成を示すブロック図である。
【図４】  本発明の実施の形態に係る波形表示装置における信号波形表示用画面２１および有効チャネル確認用画面３１の表示画面図である。
【図５】  本発明の実施の形態に係る波形表示装置におけるチャネル設定用画面２２および測定ユニット搭載状況確認用画面３２の表示画面図である。
【図６】  本発明の実施の形態に係る波形表示装置におけるチャネル設定用画面２２の他の表示画面図である。
【図７】  出願人が既に開発している波形表示装置の正面図である。
【図８】  出願人が既に開発している波形表示装置の側面図である。
【図９】  出願人が既に開発している波形表示装置５１におけるチャネル設定用画面６２の表示画面図である。
【符号の説明】
１  波形表示装置
２  表示部
３  操作部
１１  測定ユニット挿入部
１１ａ  第１スロット
１１ｂ  第２スロット
１１ｃ  第３スロット
１１ｄ  第４スロット
３１  有効チャネル確認用画面
３２  測定ユニット搭載状況確認用画面
ＵＮ１〜ＵＮ４  測定ユニット
Ｔ１１，Ｔ１２  信号入力用コネクタ
Ｔ２１，Ｔ２２  信号入力用コネクタ
Ｔ２３，Ｔ２４  信号入力用端子
Ｔ３１，Ｔ３２  信号入力用コネクタ
Ｔ４１〜Ｔ４４  信号入力用コネクタ
【図１】
0004080603.tif 000002
【図２】
0004080603.tif 000003
【図３】
0004080603.tif 000004
【図４】
0004080603.tif 000005
【図５】
0004080603.tif 000006
【図６】
0004080603.tif 000007
【図７】
0004080603.tif 000008
【図８】
0004080603.tif 000009
【図９】
0004080603.tif 000010